(57)【特許請求の範囲】
【請求項１】
フランジを有するナット本体と、当該ナット本体の回転を規制するナットガードとを設け、当該ナットガードを介して前記ナット本体を取付部材に設けられ且つ角部を有する開口部に取り付けるナット取付構造であって、前記ナット本体のフランジから突出するネジ部を前記開口部に位置させて設け、
前記ナットガードが、前記開口部に着脱可能に嵌め込むための弾性変形可能な爪部と、一定の隙間を有するスリットを隔てて起立し、且つ前記開口部に取り付けた状態において前記開口部の角部に位置付けられる起立片とを備えたものであり、これら起立片が前記スリットの幅を狭くするように弾性変形可能なものであることを特徴とするナット取付構造。
【請求項２】
フランジを有するナット本体と、当該ナット本体の回転を規制するナットガードとを設け、当該ナットガードを介して前記ナット本体を取付部材に設けられ且つ角部を有する開口部に取り付けるナット取付構造であって、前記ナット本体のフランジから突出するネジ部を開口部に位置させるとともに、前記フランジを取付部材に接触させて設け、
前記ナットガードが、前記開口部に着脱可能に嵌め込むための弾性変形可能な爪部と、一定の隙間を有するスリットを隔てて起立し、且つ前記開口部に取り付けた状態において前記開口部の角部に位置付けられる起立片とを備えたものであり、これら起立片が前記スリットの幅を狭くするように弾性変形可能なものであることを特徴とするナット取付構造。
【請求項３】
前記ナットガードが、前記ナット本体を移動可能に保持する保持部を有してなるナットガードであることを特徴とする請求項１、２に記載のナット取付構造。
【請求項４】
前記ナットガードが、前記ナット本体を着脱可能に保持する保持部を有してなるナットガードであることを特徴とする請求項１、２、３に記載のナット取付構造。
【請求項５】
フランジを有するナット本体と、当該ナット本体の回転を規制するとともに開口部を有する取付部材に取り付けられるナットガードと、を具備してなるナット部材であって、当該ナットガードが、前記フランジから突出するネジ部を前記開口部に挿入可能に保持する保持部と、前記ナットガードが、前記開口部に着脱可能に嵌め込むための弾性変形可能な爪部と、一定の隙間を有するスリットを隔てて起立し、且つ前記開口部に取り付けた状態において前記開口部の角部に位置付けられる起立片とを備えたものであり、これら起立片が前記スリットの幅を狭くするように弾性変形可能なものであることを特徴とするナット部材。
【請求項６】
フランジを有するナット本体と、当該ナット本体の回転を規制するとともに開口部を有する取付部材に取り付けられるナットガードと、を具備してなるナット部材であって、当該ナットガードが、前記フランジから突出するネジ部を前記開口部に挿入可能に保持するとともに、前記フランジの表面を前記取付部材に接触可能に保持する保持部と、前記開口部に着脱可能に嵌め込むための弾性変形可能な爪部と、一定の隙間を有するスリットを隔てて起立し、且つ前記開口部に取り付けた状態において前記開口部の角部に位置付けられる起立片とを備えたものであり、これら起立片が前記スリットの幅を狭くするように弾性変形可能なものであることを特徴とするナット部材。
【請求項７】
前記保持部が、前記ナット本体を移動可能に保持する保持部であることを特徴とする請求項５、６に記載のナット部材。
【請求項８】
前記保持部が、前記ナット本体を着脱可能に保持する保持部であることを特徴とする請求項５、６、７に記載のナット部材。
【請求項９】
フランジを有するナット本体の回転を規制するとともに、当該ナット本体を取付部材の開口部に取り付ける際に使用されるナットガードであって、前記フランジから突出するネジ部を前記開口部に挿入可能に突出させて保持する保持部と、前記開口部に着脱可能に嵌め込むための弾性変形可能な爪部と、一定の隙間を有するスリットを隔てて起立し、且つ前記開口部に取り付けた状態において前記開口部の角部に位置付けられる起立片とを備えたものであり、これら起立片が前記スリットの幅を狭くするように弾性変形可能なものであることを特徴とするナットガード。
【請求項１０】
フランジを有するナット本体の回転を規制するとともに、当該ナット本体を取付部材の開口部に取り付ける際に使用されるナットガードであって、前記フランジから突出するネジ部を前記開口部に挿入可能に突出させて保持するとともに、前記フランジの表面を前記取付部材に接触可能に保持する保持部と、前記ナットガードが、前記開口部に着脱可能に嵌め込むための弾性変形可能な爪部と、一定の隙間を有するスリットを隔てて起立し、且つ前記開口部に取り付けた状態において前記開口部の角部に位置付けられる起立片とを備えたものであり、これら起立片が前記スリットの幅を狭くするように弾性変形可能なものであることを特徴とするナットガード。
【請求項１１】
前記保持部が、前記ナット本体を移動可能に保持する保持部であることを特徴とする請求項９、１０に記載のナットガード。
【請求項１２】
前記保持部が、前記ナット本体を着脱可能に保持する保持部であることを特徴とする請求項９、１０、１１に記載のナットガード。
【発明の詳細な説明】
【０００１】
【発明の属する技術分野】
本発明は、ナット部材やこのナット部材を取付部材へ取り付けるための構造に関するものである。
【０００２】
【従来の技術】
薄板などで構成されたスチール棚などを組み立てる場合や、隣接するスチール棚を連結する場合、ボルトやナットなどを使用することが多い。このようにスチール棚などにボルトやナットを取り付ける場合、通常は、スチール棚の取付部材に孔部を設け、この孔部にボルトを貫通させるとともに、これに対応してナットを位置決めして固定するようにしている。
【０００３】
【発明が解決しようとする課題】
ところが、このようにボルトやナットを取り付ける場合、ボルトやナットの頭部が取付部材から突出してしまうため、そのスチール棚の内部空間が狭くなる。また、このようにボルトやナットを取り付ける場合、ナットを回転しないように保持しながらボルトを締め付けなければならず、迅速に作業を行なうことができない。一方、この問題を解決するために、ナットを予め取付部材に溶接しておく方法や、金属製のナットを有する樹脂製のナット部材を開口部に嵌め込んで薄板状の頭部のみを突出させるようにしたものが知られている。ところが、前者のようにナットを予め溶接しておく方法では、ボルトの回転に対してナットを保持する必要がないもののナットの突出部分が大きくなってしまう。また、後者のように樹脂製のナット部材を嵌め込む方法では、頭部の露出部分を小さくできるものの、合成樹脂で構成された薄板状の頭部によってボルトの引張力を支持しなければならないため、強い引張力が生じた場合その頭部が破損してしまうという問題を有していた。
【０００４】
そこで、本発明は以上のような不具合に着目してなされたもので、ナットの突出部分を可能な限り小さくするとともに、簡単かつ確実に取り付けを行なうことができるようなナットの取付構造などを提供することを目的とするものである。
【０００５】
【課題を解決するための手段】
すなわち、本発明は上記課題を解決するためになされたものであり、フランジを有するナット本体と、このナット本体の回転を規制するナットガードとを設け、このナットガードを介してナット本体を取付部材に設けられ且つ角部を有する開口部に取り付けるようにしたものであって、フランジから突出するネジ部を取付部材の開口部に位置させるようにし、前記ナットガードが、前記開口部に着脱可能に嵌め込むための弾性変形可能な爪部と、一定の隙間を有するスリットを隔てて起立し、且つ前記開口部に取り付けた状態において前記開口部の角部に位置付けられる起立片とを備えたものであり、これら起立片が前記スリットの幅を狭くするように弾性変形可能なものである。
【０００６】
このようにフランジから突出するネジ部を開口部に挿入させるようにしたので、フランジ部分のみが突出するようになり、その突出部分を小さくすることができ、また、引張強度にも耐えることができるようになる。更に、ナットガードに、このナット本体の回転を規制する回転規制部を設けるようにしたので、ボルトを回転させる際、このナット本体を持つ必要がなくなり、簡単にボルトを取り付けることができるようになる。
【０００７】
また、このようにしてナット本体を取り付けるようにする場合、ナット本体に設けられたフランジを取付部材に接触させて取り付けるように構成する。すなわち、フランジの平面部のうち、ネジ部を設けている側の平面部を取付部材に接触させるようにナット本体を取り付ける。これによって、ボルト側にナット本体が引っ張られた場合であっても、フランジの平面部で直接その力を受けることができ、また、ナットガードを取り外す際、フランジと取付部材との間にナットガードが挟まれることがないので、ナットガードを取り外すこともできる。
【０００８】
なお、ナット本体を保持したナットガードを取付部材の開口部に取り付けた場合、このナット本体のネジ孔とボルトとの軸線が一致しない可能性がある。従って、このナットガードにナット本体を保持させる際、ナット本体をナットガード内で移動できるように一定の隙間もしくは遊びを設けて保持させ、ボルトの軸線と一致させるようにする。このように構成すれば、開口部やナットガードに対して厳密な寸法精度が要求されることがなくなり、製造時間を短縮化させることができるとともに、ボルトの取付作業も迅速に行なうことができるようになる。
【０００９】
また、このナットガードとナット本体とを着脱可能に設けるようにする。このように構成すれば、ナット本体を取り付ける際にナットガードを仮止用の部材として用い、ナット本体を取り付けた後、ナットガードを取り外してナット本体の突出部分を小さくするとともにナットガードを分別廃棄することができる。
【００１０】
【発明の実施の形態】
以下、本発明の一実施形態を、図面を参照して説明する。図１はスチール棚１の外観斜視図を示したものであり、スチール棚１の壁板および扉を省略した状態を示したものである。また、図２は、このスチール棚１の下部に設けられたサイドフレームのＡ−Ａ断面図を示したものであり、図３から図７に示すようなナット本体２およびナットガード３を、取付部材たる縦フレーム１０に取り付けた状態を示したものである。
【００１１】
図１に示すものは、前後および左右方向に対して対称の形状を有するスチール棚１の枠体部分のみを示したものであり、左右方向に設けられた横フレーム１１と、これらの横フレーム１１の端部に跨って奥行方向に設けられた縦フレーム１０と、これら横フレーム１１および縦フレーム１０の端部から起立して設けられた起立フレーム１２とを具備してなるものである。これらのフレームは、タップを切れないような薄板状の金属板を中空状に折り曲げて構成したものであり、また、これらの横フレーム１１、縦フレーム１０および起立フレーム１２に、図示しない壁板や扉、棚取付用のフック孔などを適宜設けて、内部空間に書類などの収納物を収納できるようにしたものである。また、この奥行方向に設けた縦フレーム１０の内側面には、略長方形状の開口部１３が設けられており、また、この開口部１３の対応する側面にトラスボルト４を貫通させるための孔部１４を設けて、この開口部１３に図３および図４に示すナット本体２を取り付けられるようにしている。なお、この開口部１３は、縦フレーム１０に設けるようにしたが、これ以外にも起立フレーム１２などに設けるようにしても良い。
【００１２】
このナット本体２の取付構造は、図２に示すように、縦フレーム１０に設けられた開口部１３にナット本体２を保持したナットガード３を取り付けるとともに、隣接するスチール棚１の縦フレーム１０に設けられた孔部１４にトラスボルト４を挿入して、このトラスボルト４とナット本体２とを連結できるようにしたものである。
【００１３】
このナット本体２は、図３から図７に示すように平面視略長方形状に形成されたナットガード３の中央部分に取り付けるようにしたものであり、ネジ孔２２を設けた筒状体のネジ部２１と、このネジ部２１の端部に側面視Ｔ字状に設けられた略正方形状の平面部を有するフランジ２０とから成り、これらのフランジ２０とネジ部２１に貫通するネジ孔２２を設けたものである。このネジ部２１およびフランジ２０は、金属製の材料によって構成されており、また、正方形状に構成されたフランジ２０の対角線長さを、縦フレーム１０の開口部１３の左右幅、すなわち狭い方の幅よりも大きく設定し、これによって、このフランジ２０における裏面２０ｂ角部分を、縦フレーム１０の表面１０ａに接触させるようにしている。
【００１４】
また、このナット本体２を保持するためのナットガード３は、縦フレーム１０に設けられた開口部１３を塞ぐ大きさに構成されており、合成樹脂製の材料を平面視略長方形状に形成したものである。このナットガード３には、ナット本体２を保持する保持部３０と、このナットガード３を縦フレーム１０の開口部１３に着脱可能に嵌め込むための爪部３１を設けている。
【００１５】
この保持部３０は、ナット本体２のフランジ２０を嵌め込んでその回転を規制するための凹部３２と、この凹部３２に嵌め込まれたフランジ２０を着脱可能に保持するための爪部３３とを具備してなり、フランジ２０をこの爪部３３の弾性力に抗して凹部３２に嵌め込んで、ナット本体２が容易に脱落しないようにしている。
【００１６】
この凹部３２は、略長方形状に構成されたナットガード３に対して４５度回転させた状態、すなわち、フランジ２０の対角線がナットガード３の端辺と略平行になるように設定、更に、その凹部３２の外縁形状をフランジ２０よりも若干大きく設定することによって、フランジ２０の回転を規制するとともにナット本体２をナットガード３に対して若干の移動、すなわち遊びやガタつきを持たせるようにしたものである。また、この凹部３２は、フランジ２０の厚み幅と同等の深さを設けてフランジ２０の裏面２０ｂを表出させるようにしており、更に、この凹部３２における両端角部分の側方をナットガード３の側部に設けられた側部開口部３４に臨ませるようにしている。
【００１７】
また、このフランジ２０を保持する爪部３３は、縦フレーム１０の開口部１３にこの爪部３３を収納できるようにフランジ２０の角部近傍に設たものであり、この爪部３３の先端に設けられたテーパ部分３３ａの裏面部分をナットガード３の裏面３ａと同一面もしくは、このナットガード３の裏面３ａよりも若干上方に位置させて、フランジ２０の裏面２０ｂを直接縦フレーム１０の表面１０ａに接触させられるようにしている。
【００１８】
また、ナットガード３の長手方向における両端中央部分には、縦フレーム１０に設けられた開口部１３に着脱可能に嵌め込むための爪部３１を設けており、この爪部３１の先端に設けられたテーパ部分３１ａを開口部１３に嵌め込むことによって、ナット本体２のフランジ２０を縦フレーム１０に接触させられるようにしている。
【００１９】
また、この爪部３１の両側には、一定の隙間を有するスリット３５を隔てて起立する起立片３６を設けており、この起立片３６を開口部１３の角部に位置決めすることによってナットガード３のガタつきを防止するとともに、開口部１３の方が若干小さい場合であっても、このスリット３５の幅を狭くするように起立片３６を弾性変形させることによって開口部１３に嵌め込めるようにしている。
【００２０】
次に、このように構成されたナット本体２とナットガード３を用いてスチール棚１を連結する場合について説明する。
【００２１】
まず、ナット本体２のフランジ２０をナットガード３の凹部３２に嵌め込むべく、ナットガード３の爪部３１の弾性力に抗してフランジ２０を凹部３２に押し込み、これによってナット部材５を構成する。そして、このように構成されたナット部材を、縦フレーム１０に設けられた開口部１３に嵌め込むべく、ナットガード３の端部に設けられた爪部３１を弾性変形させて開口部１３に嵌め込み、更に、開口部１３が若干小さく設けられている場合は、この爪部３１の両側に設けられている起立片３６を爪部３１側に弾性変形させることによって、このナットガード３を開口部１３に嵌め込む。
【００２２】
次に、このように嵌め込まれたナット部材５に対して、隣接するスチール棚１の縦フレーム１０に設けられた孔部１４からトラスボルト４を挿入し、このナット本体２のネジ部２１に設けられたネジ孔２２の中心軸とトラスボルト４の軸線とを合致させて締め付ける。なお、トラスボルト４の軸線とネジ部２１の中心部とが合致していない場合、トラスボルト４の先端部分を用いてネジ部２１におけるネジ孔２２を移動させ、トラスボルト４の軸線とネジ部２１のネジ孔２２中心軸とを合致させる。そして、このようにトラスボルト４の軸線とネジ孔２２の中心軸とを合致させた後、トラスボルト４をねじ込む。この際、ナット本体２は、ナットガード３の凹部３２と爪部３３および起立片３６などによってその回転が規制され、また、長手方向の両端部に設けられた爪部３１によってトラスボルト４の挿入方向への離脱を規制するようにしているため、トラスボルト４をねじ込むだけで容易に取り付け作業を行なうことができる。そして、このトラスボルト４のねじ込みを行なうに連れて、ナット本体２に設けられたフランジ２０の裏面２０ｂが縦フレーム１０の表面１０ａに引き寄せられて接触し、これによってトラスボルト４への引張力をフランジ２０の裏面２０ｂで支持して、強い引張力に耐えられるようにする。
【００２３】
そして、このようにナット部材を取り付けた後、この状態を維持しておいても良く、また、このナットガード３を取り外すようにしても良い。なお、このナットガード３を取り外す際は、ナットガード３の側部に設けられた側部開口部３４にマイナスドライバなどの片状物を挿入し、フランジ２０の表面２０ａと凹部３２の底面部分と分離することによって爪部３３の係わり合いを外してナットガード３の分別破棄や再利用を行なえるようにする。
【００２４】
このように、上記実施の形態によれば、ネジ孔２２を設けたネジ部２１とフランジ２０を有するナット本体２と、このナット本体２の回転を規制するナットガード３とを設け、このナットガード３に保持されたナット本体２の突出部分であるネジ部２１を縦フレーム１０の開口部１３に挿入させるようにしたので、縦フレーム１０における突出部分を小さくすることができ、更に、このナット本体２の回転を規制する凹部３２を設けたので、トラスボルト４をねじ込むだけで容易に取り付け作業を行なうことができるようになる。また、縦フレーム１０には開口部１３を設けるだけで良いので、タップを切れないような薄板にこのようなナットを取り付ける場合に有効となる。
【００２５】
また、このようにしてナット本体２を取り付ける場合、フランジ２０の裏面２０ｂを縦フレーム１０の表面１０ａに接触させるようにしたので、トラスボルト４側にナット本体２が引っ張られた場合であっても、フランジ２０の裏面２０ｂで直接その力を受けることができ、その引張強度に耐えることができる。
【００２６】
更に、ナット本体２をナットガード３に取り付ける場合、フランジ２０を凹部３２の範囲内で移動できるようにしたので、トラスボルト４の軸線とナット本体２の孔部１４中心軸とを合致させることができ、これらの軸が厳密に対応していない場合であっても、容易にトラスボルト４を取り付けることができるようになる。
【００２７】
なお、本発明は上記実施の形態に限定されることなく、種々変更することができる。例えば、上記実施の形態では、縦フレーム１０に設けられた長方形状の開口部１３にナット部材を嵌め込む場合について説明したが、これに限らず、ネジ部２１に対応する円形の開口部を縦フレーム１０に設けるとともに、ナットガード３の爪部３１に対応する開口部も別個に設けるようにしても良い。また、本実施の形態においては、スチール棚１を連結する場合について説明したが、これに限らず、タップを切れないような薄板状の部材を連結するようなものに適用することができる。
【００２８】
【発明の効果】
本発明は、以上説明したような形態で実施され、以下に記載されるような効果を奏する。
【００２９】
すなわち、本発明では、フランジを有するナット本体と、このナット本体の回転を規制するナットガードとを設け、このナットガードを介してナット本体を取付部材の開口部に取り付けるようにしたものであって、この開口部に、フランジから突出するネジ部を位置させるようにしたので、突出部分を小さくすることができ、また、引張強度にも耐えることができるようになる。更に、ナットガードに、このナット本体の回転を規制する回転規制部を設けるようにしたので、ボルトを回転させる際、このナット本体を持つ必要がなくなり、簡単にボルトを取り付けることができるようになる。
【００３０】
また、ナット本体を取り付ける場合、フランジを取付部材に接触させて取り付けるようにしたので、ボルト側にナット本体が引っ張られた場合であっても、フランジの平面部で直接その力を受けることができるようになる。
【００３１】
更に、ナット本体をナットガード内で移動できるようにしたので、ボルトの軸線とナット本体のネジ部の中心軸とを合致させることができ、ナットガードなどに対する厳密な寸法精度が要求されることがなくなる。
【００３２】
また、このナットガードとナット本体とを着脱可能に設けるようにしたので、ナット部材をナットガードとナット本体とに分別して廃棄することができ、また、このナットガードを取り外すことによって、突出部分をより小さくすることができる。
【図面の簡単な説明】
【図１】本発明の一実施の形態を示すスチール棚の外観斜視図。
【図２】図１におけるＡ−Ａ断面図。
【図３】同形態におけるナット部材の平面図。
【図４】同形態におけるナット部材の正面図。
【図５】同形態におけるナット部材の側面図
【図６】同形態におけるＢ−Ｂ断面図。
【図７】同形態におけるＣ−Ｃ端面図。
【符号の説明】
２・・・ナット本体
３・・・ナットガード
５・・・ナット部材
１０・・・縦フレーム
１３・・・開口部
２０・・・フランジ
２１・・・ネジ部
３０・・・保持部
【図１】
0003946439.tif 000002
【図２】
0003946439.tif 000003
【図３】
0003946439.tif 000004
【図４】
0003946439.tif 000005
【図５】
0003946439.tif 000006
【図６】
0003946439.tif 000007
【図７】
0003946439.tif 000008